(57)【特許請求の範囲】
【請求項１】
表面に凹型目地の柄部を有する金属板であって、端部において凹型目地に近接して外方へと向って並ぶ帯状溝が設けられているとともに、帯状溝の配設部に隣接して該帯状溝とは異形の波打ち防止部が設けられていることを特徴とする金属板。
【請求項２】
異形の波打ち防止部には、外方へと向って並ぶ帯状溝が配設されているとともに、該帯状溝に比べて、凹型目地に近接して設けられている帯状溝は、並びピッチが小さいか、溝がより深いか、の少なくともいずれかにおいて異なっていることを特徴とする請求項１記載の金属板。
【請求項３】
凹型目地に近接する帯状溝は、溝の長さ方向が凹型目地と同方向に形成されていることを特徴とする請求項２記載の金属板。
【請求項４】
異形の波打ち防止部には、凹型目地に近接して設けられている帯状溝よりも深さの浅い不規則な柄が設けられていることを特徴とする請求項１記載の金属板。
【請求項５】
異形の波打ち防止部は、平坦部であることを特徴とする請求項１記載の金属板。
【請求項６】
金属板の両端部のうち、一方の端部は嵌合凹部が形成され、他方の端部は、前記嵌合凹部と嵌合可能な嵌合凸部が形成されていることを特徴とする請求項１から５のうちのいずれか一項に記載の金属板。
【請求項７】
請求項１から６のうちのいずれか一項に記載の金属板と、裏面材と、これらの間に充填される充填層とを有することを特徴とする金属サイディング材。
【請求項８】
金属板の表面に凹型目地の柄部と、端部において凹型目地に近接して外方へと向って並ぶ帯状溝を付与する金属板の成形型であって、
金属板に凹型目地を付与する凸部と、帯状溝を付与する帯状リブとを有し、帯状リブに隣接して該帯状リブとは異形の波打ち防止部付与型を備えていることを特徴とする金属板の成形型。
【請求項９】
異形の波打ち防止部付与型には、外方に向って並ぶ帯状溝を付与する帯状リブが配設されており、該帯状溝付与リブに比べて、凸部に近接する帯状溝を付与する帯状リブは、並びピッチが小さいか、リブ高さが高いか、の少なくともいずれかにおいて異なっていることを特徴とする請求項８に記載の金属板の成形型。
【請求項１０】
前記凸部に近接する帯状リブは、前記凸部と同方向に配置されていることを特徴とする請求項９に記載の金属板の成形型。
【請求項１１】
異形の波打ち防止部の付与型には、凸部に近接する帯状リブよりも高さの低い不規則な柄の付与部が設けられていることを特徴とする請求項８に記載の金属板の成形型。
【請求項１２】
異形の波打ち防止部の付与型には、平坦部の付与部が設けられていることを特徴とする請求項８に記載の金属板の成形型。
【請求項１３】
請求項８から１２のいずれか一項に記載の成形型によって金属帯板を成形する工程を含むことを特徴とする金属板の製造方法。
【発明の詳細な説明】
【技術分野】
【０００１】
本発明は、金属板と、金属板を有する金属サイディング材、金属板を成形するためのエンボスロール、プレス型等の成形型、さらには、金属板の製造方法に関する。
【背景技術】
【０００２】
従来より、発泡ポリウレタン等の外表面をエンボス加工を施した薄板状金属板で覆った金属サイディング材が知られている。金属サイディング材は、経年変化に対する耐久性が高く、軽量で取り扱いやすく、また、エンボス加工によって様々な凹凸形状、模様等の意匠が簡単に表わせるという特徴から、例えば建物の外壁等において広く利用されている。
【０００３】
このような金属サイディング材を構成する金属板の製造においては、一般的には、原板である金属帯板がエンボスロール、プレス型等の成形型によるエンボス加工によって柄部が成形される。そして、建物の外壁等に取り付ける際には、複数の金属サイディング材を連結させる必要があることから、金属板の両端部を折曲げ成形して、例えば、一方側を嵌合凸部に、他方側を嵌合凹部に形成し、両者を嵌合させることで、建物の外壁等に複数の金属サイディング材を組み付けている。
【０００４】
ところが、近年、建物の外壁等に使用される金属サイディング材には、さらなる高級感、重厚感が求められ、高意匠化が進んでいる。これに伴って、金属サイディング材を構成する金属板の柄部の目地を深く形成することが望まれているが、柄付け後に端部に嵌合凸部、嵌合凹部等の嵌合部を形成する場合には、柄部と同じ柄（同程度の深さの柄）を施すと、嵌合部の形状成形時にシワや、歪を生じ、また、深さによっては、成形ができない等の問題があった。
【０００５】
一方、金属板の柄部だけにエンボス加工を施し、両端部の折曲げ部にエンボス加工を施さないようにした場合には、エンボス加工時の応力や鋼材収縮の影響が両端部に及ぶため、両端部に波打ちが発生し、不規則に変形したりして、曲げ加工不良等の不具合が発生するという問題があった。
【０００６】
そこで、金属板をエンボス加工する際の両端部の波打ちの発生を防止し、通常の曲げ加工法で折曲げ部を形成することが提案されている。
【０００７】
特許文献１には、金属板の両端部（折曲げ部）のエンボス加工の凹凸深度が、飾り面部のエンボス加工の凹凸深度に較べて浅く形成された金属板が記載されている。ここでの金属板は、飾り面部（柄部）の深度を深くして意匠効果を高めたいような場合でも、短手方向端部の折曲げ加工が容易になるとされている。
【０００８】
また、特許文献２には、目地部との段差が３ｍｍ以上の装飾部が複数個設けられ、金属板の両端部に複数の帯状リブが形成された、深彫り模様のある金属サイディング材が記載されている。この金属サイディング材は、両端部の波打ちが抑制されており、立体感にも優れているとされている。
【０００９】
このような工夫も提案されている従来の金属サイディング材の金属板においては、例えば、図６の正面図および図７（Ａ）の端部拡大図に示されるように、金属板１は、長手方向中央部に、例えば、縦目地２a、横目地２bのような凹型目地２が成形された柄部３を有し、短手方向の端部４に長手方向に沿って全体に均一なピッチの帯状溝５が形成されている。さらに、図７（Ａ）のＡ−Ａ’断面を示した図７（Ｂ）のように、この帯状溝５は、深さも均一である。
【００１０】
そして、図８に例示するように、従来の金属サイディング材６は、通常、前記のような帯状溝５が形成された金属板１を表層に有し、裏面材７と、これらの間に充填される充填層８とによって構成されている。そして、金属板１の端部４は、曲げ加工が施され、一方側が嵌合凸部９に、他方側がこの嵌合凸部９と嵌合可能な嵌合凹部１０に形成されている。
【００１１】
しかしながら、このような従来の金属板１においては、凹型目地２の深さが、例えば３mm以上に深い場合や、凹型目地２の形状によっては、金属板１の凹型目地２近傍では、エンボス加工の際に局部的な縮みが生じ、結果として、均一な帯状溝５が形成される端部４と凹型目地２を有する柄部３の縮み量のバランスが悪くなる。このため、図６、図７、図８に例示するように、主に、凹型目地２と近接する端部領域１１でふくれが生じ、端部４全体として波打ちが生じてしまうという問題がある。この波打ちは、前記のとおり、端部４の曲げ加工、釘打ち作業、嵌合作業における作業性の低下を招くとともに、製品としての外観を害していた。
【先行技術文献】
【特許文献】
【００１２】
【特許文献１】特開平10−146627号公報
【特許文献２】特開平11−152877号公報
【発明の概要】
【発明が解決しようとする課題】
【００１３】
本発明は、以上のような事情に鑑みてなされたものであり、従来の問題点を解消して、金属板に深い凹型目地を付与する場合に、金属板端部における波打ちの発生を防止することを課題としている。
【課題を解決するための手段】
【００１４】
本発明は、上記の課題を解決するために、以下のことを特徴としている。
【００１５】
第１に、本発明の金属板は、表面に凹型目地の柄部を有する金属板であって、端部において凹型目地に近接して外方へと向って並ぶ帯状溝が設けられているとともに、帯状溝の配設部に隣接して該帯状溝とは異形の波打ち防止部が設けられている。
【００１６】
第２に、本発明の金属板は、異形の波打ち防止部には、外方へと向って並ぶ帯状溝が配設されているとともに、該帯状溝に比べて、凹型目地に近接して設けられている帯状溝は、並びピッチが小さいか、溝がより深いか、の少なくともいずれかにおいて異なっている。
【００１７】
第３に、本発明の金属板は、凹型目地に近接する帯状溝は、溝の長さ方向が凹型目地と同方向に形成されている。
【００１８】
第４に、本発明の金属板は、異形の波打ち防止部には、凹型目地に近接して設けられている帯状溝よりも深さの浅い不規則な柄が設けられている。
【００１９】
第５に、本発明の金属板は、異形の波打ち防止部が、平坦部である。
【００２０】
第６に、本発明の金属板は、金属板の両端部のうち、一方の端部は嵌合凹部が形成され、他方の端部は、前記嵌合凹部と嵌合可能な嵌合凸部が形成されている。
【００２１】
第７に、本発明の金属サイディング材は、前記の金属板と、裏面材と、これらの間に充填される充填層とを有する。
【００２２】
第８に、本発明の金属板の成形型は、金属板の表面に凹型目地の柄部と、端部において凹型目地に近接して外方へと向って並ぶ帯状溝を付与する成形型であって、金属板に凹型目地を付与する凸部と、帯状溝を付与する帯状リブとを有し、帯状リブに隣接して該帯状リブとは異形の波打ち防止部付与型を備えている。
【００２３】
第９に、本発明の金属板の成形型は、異形の波打ち防止部付与型には、外方に向って並ぶ帯状溝を付与する帯状リブが配設されており、該帯状溝を付与する帯状リブに比べて、凸部に近接する帯状溝を付与する帯状リブは、並びピッチが小さいか、リブ高さが高いか、の少なくともいずれかにおいて異なっている。
【００２４】
第１０に、本発明の金属板の成形型は、前記凸部に近接する帯状リブは、前記凸部と同方向に配置されている。
【００２５】
第１１に、本発明の金属板の成形型は、異形の波打ち防止部の付与型には、凸部に近接する帯状リブよりも高さの低い不規則な柄の付与部が設けられている。
【００２６】
第１２に、本発明の金属板の成形型は、異形の波打ち防止部の付与型には、平坦部の付与部が設けられている。
【００２７】
第１３に、本発明の金属板の製造方法は、前記成形型によって金属帯板を成形する工程を含む。
【発明の効果】
【００２８】
第１の発明の金属板は、端部において凹型目地に近接して外方へと向って並ぶ帯状溝が設けられているとともに、帯状溝の配設部に隣接して該帯状溝とは異形の波打ち防止部が設けられているため、端部における波打ちがなく、嵌合凹部および嵌合凸部などの加工作業が容易で、また、端部における釘打ちなどの作業も容易であり、商品価値が高い。
【００２９】
第２の発明の金属板は、凹型目地に近接して設けられている帯状溝は、並びピッチが小さいか、溝がより深いか、の少なくともいずれかにおいて異なっているため、さらに確実に端部における波打ちの発生が防止されている。
【００３０】
第３の発明の金属板は、凹型目地に近接する帯状溝は、溝の長さ方向が凹型目地と同方向に形成されているため、さらに確実に端部における波打ちの発生が防止されている。
【００３１】
第４、第５の発明の金属板は、異形の波打ち防止部の特徴によって、上記同様に確実に端部における波打ちの発生が防止されている。
【００３２】
第６の発明の金属板は、上記効果に加えて、嵌合凹部および嵌合凸部に波打ちがないため、嵌合凹部および嵌合凸部の嵌合作業を円滑に行うことができる。
【００３３】
第７の発明の金属サイディング材は、上記特徴を有する金属板を備えるため、高級感、重厚感を演出することができるとともに、例えば、嵌合凹部および嵌合凸部による嵌合を介した金属サイディング材同士の嵌合作業等が容易である。
【００３４】
第８から第１２の発明の金属板の成形型および第１３の発明の金属板の製造方法によれば、前記第１から４の金属板を成形することができる。
【図面の簡単な説明】
【００３５】
【図１】（Ａ）は、本発明の金属サイディング材の金属板の一実施形態を例示する正面図である。（Ｂ）は、（Ａ）のＢ−Ｂ’断面図である。
【図２】（Ａ）は、図１に示す金属板の端部拡大図である。（Ｂ）は、（Ａ）のＣ−Ｃ’断面図である。
【図３】本発明の金属板の別の実施形態を例示する端部拡大図である。
【図４】（Ａ）本発明の金属板の別の実施形態を例示する端部拡大図であり、（Ｂ）は、（Ａ）のＤ−Ｄ’断面図である。
【図５】本発明金属板の別の実施形態を例示した正面図である。
【図６】従来の金属サイディング材の正面図である。
【図７】（Ａ）は、従来の金属板の端部拡大図、（Ｂ）は、（Ａ）のＡ−Ａ’断面図である。
【図８】従来の金属サイディング材を例示する斜視図である。
【発明を実施するための形態】
【００３６】
本発明の実施形態について、図面を用いて説明する。
【００３７】
図１（Ａ）は、本発明の金属サイディング材の金属板の一実施形態を例示する正面図であり、図１（Ｂ）は、図１（Ａ）の縦目地２aのＢ−Ｂ’断面図である。図２（Ａ）は、図１に例示する金属板１の端部拡大図であり、図２（Ｂ）は、図２（Ａ）のＣ−Ｃ’断面図である。
【００３８】
本発明の金属板１は、図１に例示するように、長手方向中央部に、例えば、縦目地２a、横目地２bのような凹型目地２が形成された柄部３を有している。
【００３９】
金属板１の柄部３は、成形によって柄が外部に露出する部分で、図１に示す例では、凹型の縦目地２a、横目地２bを有するレンガ調の柄が成形されている。柄部３の柄については、図１の例に限定されることはなく、規則的な柄の他、例えば、自然石風の柄などでもよい。いずれの柄においても、柄部３の凹型目地２の深さは、例えば、３mm以上とすることができ、好ましくは３〜１０mm程度である。また、凹型目地２の形状は、例えば、図１（Ｂ）の断面図に例示されるような凹溝状であり、底部２０の幅Ｌは、開口部の幅Ｍより小さく形成される。そして、図１（Ｂ）に示されるように、底部２０と側壁２１との接合部２２がシャープな形状であることが好ましく、これによって、凹型目地２の深さ、形状の美しさが一層引き立ち、金属板１の高級感、重厚感をより強く感じさせることができる。凹型目地２の具体的な寸法は特に限定されないが、例えば、底部２０の幅Ｌは、１〜１０mm程度、開口部の幅Ｍは、４〜１６mm程度とすることができ、Ｌ＜Ｍとすることが好ましい。
【００４０】
そして、図１、図２に例示するように、本発明の金属板１は、端部４において凹型目地２である縦目地２aに近接して外方へと向って並ぶ帯状溝５が設けられているとともに、この帯状溝５の配設部に隣接して、該帯状溝５とは異形の波打ち防止部１２が設けられている。図１、図２に例示する実施形態においては、前記波打ち防止部１２は、外方へと向って並ぶ帯状溝１２aであり、縦目地２aに近接する帯状溝５は、波打ち防止部１２としての帯状溝１２aに比べて、並びピッチが小さく形成されている。
【００４１】
ここで、「凹型目地２に近接する帯状溝５」とは、例えば、図１の例においては、縦目地２aと端部４とが接する点を基準として、長手方向に約５mm〜２０mm程度の範囲に存在する複数の溝を意味し、図１（Ｂ）に例示する縦目地２aの開口部の幅Ｍを含むような広い範囲に存在する溝であることが好ましい。また、「並びピッチ」とは、隣合う帯状溝５同士の間隔をいい、例えば、図２（Ｂ）に例示するように、連続する帯状溝の凸部の頂点同士の間隔Ｎを基準とすることができる。帯状溝５、１２aの並びピッチは、凹型目地２の深さ、凹型目地２の底部および開口部の幅等にも関係するが、例えば、波打ち防止部１２としての帯状溝１２aの並びピッチは、約４〜８mm程度とすることができ、縦目地２aに近接する帯状溝５の並びピッチは、波打ち防止部１２としての帯状溝１２aよりも、約１〜３mm程度小さくすることが好ましい。なお、図２（Ｂ）では、便宜的に、長手方向に連続する溝の凹凸を鋭角に表現しているが、実際は、この溝の凹凸は滑らかな波状であってよい。なお、帯状溝５、１２aは、金属板１の短手方向の片端部または両端部に形成することができる。
【００４２】
従来では、例えば、５mm以上の深い凹型目地２を成形する場合、凹型目地２の形成によって、凹型目地２に局部的な縮みが生じ、凹型目地２の形成に伴う柄部３の縮みと、端部４の縮みとのバランスが悪く、端部４に波打ちが生じることがあった。これに対し、本発明のこの実施形態においては、成形時に、凹型目地２に近接する帯状溝５が、波打ち防止部１２としての帯状溝１２aよりも並びピッチが小さく形成されるため、成形時の金属板１の端部４の縮みと凹型目地２近傍の縮みとのバランスが良くなり、金属板１の端部４の波打ちを確実に防止することができる。したがって、成形後の金属板１は、例えば、端部４の折り曲げ加工などによる嵌合部の形成作業が容易であり、金属サイディング材としての利用に好適であるとともに、金属サイディング材の施工時の端部４同士の嵌合作業、端部４の釘打ちなどによる固定作業も容易である。
【００４３】
さらに、本発明の金属板１の別の実施形態を図３の端部拡大図に例示する。この実施形態の金属板１は、図１、２に例示する形態と同様に、縦目地２aに近接する帯状溝５を、波打ち防止部１２aとしての帯状溝１２aよりも相対的に並びピッチを小さく形成し、さらに、縦目地２aに近接する帯状溝５の長さ方向を、縦目地２aと略同方向に形成している。
【００４４】
端部４に形成する帯状溝５においては、エンボス成形時に、鋼板材料がエンボスロール中央方向に引き込まれる量をコントロールする必要がある。また、施工時における金属サイディング材の位置あわせのための軽微なスライドを可能とするために、嵌合する端部４の帯状溝５同士が歯車状に噛み合わないようにする必要がある。したがって、通常、帯状溝は、長手方向に直行な方向には設けられず、図１から図６に例示するように、長手方向に対してやや斜めに形成されるなどされる。そこで、本発明のこの実施形態では、縦目地２aに近接する帯状溝５を、波打ち防止部１２としての帯状溝１２aよりも相対的にピッチを小さく形成し、さらに縦目地２aに近接する帯状溝５の方向のみを縦目地２aと略同方向に形成することで、帯状溝５の上記機能を確保しつつ、金属板１の端部４の縮みと凹型目地２近傍の縮みとのバランスがさらに良くなるため、より確実に金属板１の端部４における波打ちの発生を防ぐことができる。
【００４５】
さらに、本発明の金属板の別の実施形態としては、例えば、図４（Ａ）の端部拡大図におけるＤ−Ｄ’断面を示す図４（Ｂ）のように、縦目地２aに近接する帯状溝５を、波打ち防止部１２としての帯状溝１２aよりも、相対的に深さを深く形成したものとすることができる。
【００４６】
帯状溝５の深さは、縦目地２aの深さ、幅などにも関係するが、例えば、波打ち防止部１２としての帯状溝１２aでは、0.5〜1.2mm程度とすることができ、縦目地２aに近接する帯状溝５は、前記帯状溝１２aよりも0.5mm〜1.0mm程度深く形成することが好ましい。
【００４７】
これによって、上記の実施形態と同様に、エンボス加工時の金属板１の端部４の縮みと凹型目地２近傍の縮みとのバランスが良くなるため、金属板１の端部４に波打ちが生じない。したがって、成形後の金属板１は、例えば、端部４の折り曲げ加工などによる嵌合部の形成作業も容易であり、金属サイディング材としての使用に好適である。また、金属サイディング材の施工時に、金属板１の端部４における釘打ち固定などの作業も容易である。
【００４８】
なお、図には示していないが、前記の実施形態の各々の特徴を組み合わせた金属板１、すなわち、凹型目地２に近接する帯状溝５の並びピッチが波打ち防止部１２としての帯状溝１２aよりも小さく、かつ、深い金属板１や、凹型目地２に近接する帯状溝５の深さが波打ち防止部１２としての帯状溝１２aよりも深く、かつ、帯状溝５の方向を縦目地２と同方向に形成した金属板１も本発明の範囲内にある。
【００４９】
また、別の実施形態としては、図５に例示するように、本発明の金属板１は、端部４に、凹型目地２に近接して設けられている帯状溝５を有し、この帯状溝５の配設部に隣接するとともに、この帯状溝５とは異形の波打ち防止部１２として、帯状溝５よりも深さの浅い不規則な柄１２bが設けられたものとすることができる。また、図示してはいないが、端部４は、無模様の平坦部とすることもできる。いずれの場合も、図６に例示するように、金属板１の縦目地２aと近接する端部４には、例えば、ピッチが３〜５mm程度、深さ1.0mm〜2.0mm程度の帯状溝５を長手方向に約５mm〜２０mm程度の範囲にわたって設けることができる。このような形態によっても、上記の実施形態と同様に、エンボス加工時の金属板１の端部４の縮みと凹型目地２近傍の縮みとのバランスが良くなるため、金属板１の端部４の波打ちを確実に防止することができる。
【００５０】
さらに、図示してはいないが、本発明は、図１から図５に例示した本発明の金属板１を製造するための成形型も提供する。
【００５１】
すなわち、本発明の成形型は、金属板１の表面に凹型目地２を有する柄部３と、端部４において凹型目地２に近接して外方へと向って並ぶ帯状溝５を付与する成形型であって、金属板１に凹型目地２を付与する凸部と、帯状溝５を付与する帯状リブとを有し、帯状リブに隣接して該帯状溝５とは異形の波打ち防止部１２の付与型を備えている。この凸部、帯状リブ、および異形の波打ち防止部付与型の位置、形状に対応して、凹型目地２および帯状溝５、および異形の波打ち防止部１２の形成が可能である。これによって、前記特徴を有する金属板１の成形を可能とする。ここでは、前記「凸部に近接する帯状リブ」は、「凹型目地２に近接する帯状溝５」に対応する。
【００５２】
具体的には、例えば、異形の波打ち防止部１２付与型として、外方へと向って並ぶ帯状溝１２aを付与する帯状リブが配設され、前記凸部に近接する帯状リブが、異形の波打ち防止部付与型としての帯状リブよりも小さい並びピッチで形成されている成形型によれば、図１、図２に例示した形態の金属板１を製造することができる。
【００５３】
また、前記凸部に近接する帯状リブが、異形の波打ち防止部付与型としての帯状リブよりも高さが高く形成されている成形型によれば、図４に例示した形態の金属板１を製造することができる。
【００５４】
さらに、前記「凹型目地２を付与する凸部」と「凸部に近接する帯状リブ」を、同方向に形成した成形型によれば、図３に例示した形態の金属板１を製造することができる。
【００５５】
また、異形の波打ち防止部付与型として、凸部に近接する帯状リブよりも高さの低い不規則な柄の付与部が設けられている成形型、および、異形の波打ち防止部付与型として、平坦部の付与部が設けられている成形型によれば、図５を用いて説明した形態の金属板１を製造することができる。
【００５６】
その他の形態も同様に、本発明の金属板１の実施形態に対応した形状の凸部および帯状リブを有する成形型は、本発明の範囲内にある。
【００５７】
ここで、金属板１の製造方法は特に限定されず、例えば、ラインに前記成形型を備えたプレス成形機を設け、原板となる金属帯板をラインに乗せ、金属帯板の上方からプレス型にてプレスして成形することができるし、前記成形型を有するエンボスロールによって柄付けを行ってもよい。
【００５８】
そして、本発明の金属板１は、材料として、例えば、鋼板、アルミニウム板、銅板や、これらの金属に亜鉛や、ニッケルなどを含有させた合金板などを使用することができ、建物の外壁等に使用される金属サイディング材として利用することができる。この場合、例えば、本発明の金属サイディング材は、図７に例示する従来のものと同様に、前記金属板１を表層とし、金属板１と裏面材７との間に充填層８を有するパネル状に形成することができる。
【００５９】
充填層８には、例えば、ポリウレタンフォーム、ポリスチレンフォーム、ポリエチレンフォーム等の発泡樹脂、ロックウール、石膏ボードなど、一般に断熱材料として用いられている材料を用いることができる。
【００６０】
また、金属板１の表面には、適宜、塗装を施すことができ、例えば、フッ素焼付塗装は、経年変化による色落ちが少なく長期にわたって美観を保つことができるため好ましい。
【００６１】
さらに、従来のとおり、本発明の金属板１の端部４に曲げ加工を施し、一方側を嵌合凸部９、他方側をこの嵌合凸部９と嵌合可能な嵌合凹部１０に成形することがでる。嵌合凸部９および嵌合凹部１０の具体的な形状は特に限定されない。この加工の際に、金属板１の端部４に波打ちがないことで、加工作業が容易である。そして、前記嵌合凸部および嵌合凹部を嵌合させることで、建物の外壁等に複数の金属サイディング材を組み付けることができる。
【００６２】
また、金属サイディング材の組み付けによる接合部は防水性が確保されることが好ましく、例えば、防水パッキンやシーリングの使用等が考慮される。本発明の金属板１は、従来より深い凹型目地２を有するものとすることができ、この金属板１を有する金属サイディング材を建物の外壁等に使用することで、外壁等の高級感、重厚感を演出することができる。
【符号の説明】
【００６３】
１  金属板
２  凹型目地
３  柄部  
４  金属板の端部
５  帯状溝
６  金属サイディング材
７  裏面材
８  充填材
９  嵌合凸部
１０  嵌合凹部
１２  波打ち防止部
１２a  帯状溝
１２b  不規則な柄
【図１】
0005451312.tif 000002
【図２】
0005451312.tif 000003
【図３】
0005451312.tif 000004
【図４】
0005451312.tif 000005
【図５】
0005451312.tif 000006
【図６】
0005451312.tif 000007
【図７】
0005451312.tif 000008
【図８】
0005451312.tif 000009